(57)【要約】【課題】エプロンと壁パネルが連続状をなし、意匠性に優れ、しかも止水部分が少なくなる洗い場付き浴槽を提供する。【解決手段】少なくとも浴槽１，エプロン２，洗い場パン３の主要３部品に分割された洗い場付き浴槽において、エプロン２の幅方向両端部２ａ，２ａには、洗い場パン３上に立設される壁パネル４ｂの端面が当接されて、エプロン２と壁パネル４ｂが連続状となるように構成する。【選択図】                図１
2005027861.tif 000002
【特許請求の範囲】
【請求項１】
少なくとも浴槽，エプロン，洗い場パンの主要３部品に分割された洗い場付き浴槽において、前記エプロンの幅方向両端部には、前記洗い場パンに立設される壁パネルの端面が当接されて、前記エプロンと前記壁パネルが連続状となるように構成したことを特徴とする洗い場付き浴槽。
【請求項２】
前記エプロンの幅方向両端部または一端部には、前記洗い場パンの壁載置面上に載る部分が洗い場側へ延出されて延設部が一体形成され、該延設部の端面が前記壁パネルの端面と当接されるとともに、該延設部の浴室内側の面が前記壁パネルと略面一となるように構成されていることを特徴とする請求項１に記載の洗い場付き浴槽。
【発明の詳細な説明】
【０００１】
【発明の属する技術分野】
この発明は、洗い場付き浴槽に関するものである。
【０００２】
【従来の技術及び発明が解決しようとする課題】
従来、参考文献１に開示されているように、洗い場パンと、エプロンと、浴槽に分割された洗い場付き浴槽では、浴槽と洗い場パンを連結フレームで連結しており、この連結フレームに併設して壁パネルが建て込まれると考えられるが、従来では、この連結フレームとエプロン及び壁パネルとの止水部分が多いことにより、それぞれの部分の止水処理が難しく、漏水の虞れがあるという問題点があった。
【０００３】
【特許文献１】
特開２００３−１１１６８７号公報
【０００４】
【課題を解決するための手段】
本発明は上記従来の問題点に鑑み案出したものであって、確実に止水処理ができる洗い場付き浴槽を提供せんことを目的とし、その第１の要旨は、少なくとも浴槽，エプロン，洗い場パンの主要３部品に分割された洗い場付き浴槽において、前記エプロンの幅方向両端部には、前記洗い場パンに立設される壁パネルの端面が当接されて、前記エプロンと前記壁パネルが連続状となるように構成したことである。
また、第２の要旨は、前記エプロンの幅方向両端部または一端部には、前記洗い場パンの壁載置面上に載る部分が洗い場側へ延出されて延設部が一体形成され、該延設部の端面が前記壁パネルの端面と当接されるとともに、該延設部の浴室内側の面が前記壁パネルと略面一となるように構成されていることである。
【０００５】
【発明の実施の形態】
以下、本発明の実施例を図面に基づいて説明する。
図１は、第１実施例の洗い場付き浴槽の斜視構成図であり、洗い場付き浴槽は、浴槽１と、エプロン２と、洗い場パン３が３分割されて形成されている。
浴槽１は、その上面外周に立上片１ａが一体形成されており、この立上片１ａの内周には、壁パネルを建て付けるための壁載置面１ｂが形成されている。
また、洗い場パン３の外周にも立上片３ａが一体形成されており、この立上片３ａの内周には、壁パネルが建て付けられる壁載置面３ｂが形成されている。
【０００６】
本例では、エプロン２の幅方向両端部２ａ，２ａの下端が、洗い場パン３の壁載置面３ｂ，３ｂ上に載るように設定されている。即ち、エプロン２の幅方向寸法は、洗い場パン３の幅方向の両端の立上片３ａ，３ａ間の寸法と同じに設定されている。
【０００７】
図２は、浴槽１の壁載置面１ｂ及び洗い場パン３の壁載置面３ｂに、それぞれ壁パネルを建て付けた壁建て込み後の斜視構成図であり、浴槽１側では、立上片１ａの内側の壁載置面１ｂ上に壁パネル４ａが立設され、また、洗い場パン３の立上片３ａの内側の壁載置面３ｂ上には壁パネル４ｂが立設されるものである。
【０００８】
この場合、図３の平面要部構成図で示すように、エプロン２の端部２ａの洗い場側表面に壁パネル４ｂの端面Ｐが当接され、壁パネル４ｂの建て付け状態では、エプロン２の洗い場側の表面と、この壁パネル４ｂの浴室内側面が連続した状態となり、極めて意匠性に優れた施工状態が得られるものとなる。
また、このような構成では、エプロン２の端部２ａの表面と壁パネル４ｂの端面Ｐとの当接部分を止水処理すれば、洗い場側から浴槽１側へ流れる漏水を確実に防ぐことができ、止水部分が少なくなるため、止水処理も容易に行うことができるものとなる。
【０００９】
次に、図４は変更例を示す斜視構成図であり、図４では、エプロン２の両端部の洗い場パン３の壁載置面３ｂ上に載る部分が、洗い場側へ延出されて、エプロン２の幅方向両端に延設部２ｂ，２ｂが一体形成されたものである。
なお、図５には、平面拡大構成図を示す。
【００１０】
このような両端に延設部２ｂ，２ｂを備えたエプロン２を用い、浴槽１の壁載置面１ｂ上には壁パネル４ａを立設させ、また、洗い場パン３の壁載置面３ｂ上には壁パネル４ｂを立設させて建て付けた状態では、エプロン２の延設部２ｂの端面と壁パネル４ｂの端面Ｐが当接して、延設部２ｂの浴室内側の面と壁パネル４ｂの浴室内側の面が略面一状となり、延設部２ｂと壁パネル４ｂが連続した状態をなして、極めて優れた意匠性を呈することとなる。
また、止水部分は、この端面Ｐの部分だけとなり、止水処理する部分も少なくなり、止水処理が容易なものとなる。
【００１１】
なお、このような延設部２ｂを設けたエプロン２を用いる場合には、壁パネル４ａと壁パネル４ｂを、例えば幅寸法８００ｍｍの同一モジュールの壁パネルで構成することができるものとなる。
即ち、図２では、例えば浴室内寸が１６００ｍｍで、浴槽短辺幅が７２０ｍｍであったとすると、浴槽１側の壁パネル４ａは、幅寸法７２０ｍｍの壁パネルを用い、洗い場側の壁パネル４ｂは幅寸法８８０ｍｍの壁パネルを用いる必要があり、壁パネルが特注品となってしまうが、延設部２ｂを備えたエプロン２を使用する場合は、図６の平面図で示すように、浴槽側の壁パネル４ａと洗い場側の壁パネル４ｂを、８００ｍｍにモジュール化された同一幅寸法の壁パネルで構成することができ、コストを低減させることができるものとなる。
【００１２】
【発明の効果】
本発明は、少なくとも浴槽，エプロン，洗い場パンの主要３部品に分割された洗い場付き浴槽において、前記エプロンの幅方向両端部には、前記洗い場パンに立設される壁パネルの端面が当接されて、前記エプロンと前記壁パネルが連続状となるように構成したことにより、エプロンと壁パネルが建て付け状態では連続状をなして、極めて優れた意匠性を呈することとなる。また、止水部分が少なくなるため、確実に止水処理できるものとなる。
【００１３】
また、エプロンの幅方向両端部または一端部には、洗い場パンの壁載置面上に載る部分が洗い場側へ延出されて延設部が一体形成され、延設部の端面が壁パネルの端面と当接されるとともに、延設部の浴室内側の面が壁パネルと略面一となるように構成されていることにより、エプロンの延設部と壁パネルが連続状をなし、極めて優れた意匠性を呈することとなり、また、隣接の壁パネルをモジュール化することができ、安価な壁パネルで施工できる効果を有する。
【図面の簡単な説明】
【図１】第１実施例の洗い場付き浴槽の斜視構成図である。
【図２】浴槽側及び洗い場パン側にそれぞれ壁パネルを建て付けた状態の斜視構成図である。
【図３】エプロンと壁パネルの接合状態を示す要部平面構成図である。
【図４】第２実施例の壁パネルの建て付け状態の斜視構成図である。
【図５】図４におけるエプロンと壁パネルの接合部分の要部平面構成図である。
【図６】全体の平面構成図である。
【符号の説明】
１  浴槽
１ａ  立上片
１ｂ  壁載置面
２  エプロン
２ａ  端部
２ｂ  延設部
３  洗い場パン
３ａ  立上片
３ｂ  壁載置面
４ａ，４ｂ  壁パネル
Ｐ  端面
【図１】
2005027861.tif 000003
【図２】
2005027861.tif 000004
【図３】
2005027861.tif 000005
【図４】
2005027861.tif 000006
【図５】
2005027861.tif 000007
【図６】
2005027861.tif 000008